(57)【要約】【課題】操作部の集約的配置を可能にし、本体をコンパクトに構成することができるシャワー装置を提供する。【解決手段】本発明は、複数のシャワーヘッドから吐出させるシャワー装置（１）であって、シャワー装置本体（２）と、第１シャワーヘッド（４）と、ハンドシャワーヘッド（６）と、湯水を上方に向けて導く湯水供給通路（２８）と、この湯水供給通路の途中に配置され、第１シャワーヘッドからの吐止水を切り替える第１バルブ（３０ａ）と、第１バルブの鉛直上方に配置され、ハンドシャワーヘッドからの吐止水を切り替える第２バルブ（３０ｂ）と、第１バルブの流出口から下方に延びて第１シャワーヘッドに湯水を供給する第１通水路（３６）と、湯水供給通路の背面側に配置され、第２バルブの流出口から第１バルブを迂回して下方に延び、ハンドシャワーヘッドに湯水を供給する第２通水路（３８）と、を有することを特徴としている。【選択図】図２
2008220822.tif 000002
【特許請求の範囲】
【請求項１】
壁面に概ね鉛直方向に延びるように設置され、供給された湯水を複数のシャワーヘッドから吐出させるシャワー装置であって、
縦長に形成されたシャワー装置本体と、
このシャワー装置本体内に配置され、上記シャワー装置の下部から供給された湯水を上方に向けて導く湯水供給通路と、
この湯水供給通路の途中に配置され、上記湯水供給通路から流入した湯水を上記湯水供給通路の背面側に通過させ、又は停止させる第１バルブと、
上記湯水供給通路の、上記第１バルブの鉛直上方に配置され、上記湯水供給通路から流入した湯水を上記湯水供給通路の背面側に通過させ、又は停止させる第２バルブと、
上記第１バルブを通過した湯水を吐出させるように、上記第１バルブよりも下方に配置された第１シャワーヘッドと、
上記第２バルブを通過した湯水を吐出させるように、シャワーホース接続部から延びるシャワーホースに接続されたハンドシャワー用のハンドシャワーヘッドと、
基端が上記第１バルブの流出口に連通され、上記シャワー装置本体内の上記湯水供給通路の背面側を、上記第１シャワーヘッドまで延びる第１通水路と、
基端が上記第２バルブの流出口に連通され、上記シャワー装置本体内の上記湯水供給通路の背面側を、上記第１バルブを迂回して、上記第１バルブよりも下方に位置決めされた上記シャワーホース接続部まで延びる第２通水路と、
を有することを特徴とするシャワー装置。
【請求項２】
上記第１シャワーヘッドが、上記シャワー装置本体前面のボディーシャワー用のボディーシャワーヘッドであり、さらに、上記第１通水路が、上記湯水供給通路の側面を越えて前面側に延び、上記ボディーシャワーヘッドに湯水を導く側面迂回通水部を有する請求項１記載のシャワー装置。
【請求項３】
上記第１バルブを迂回して延びる上記第２通水路の一部分である第２通水路迂回部と、上記側面迂回通水部は、夫々、上記第１バルブの両側に位置決めされている請求項２記載のシャワー装置。
【請求項４】
上記第１バルブを迂回して延びる上記第２通水路の一部分である第２通水路迂回部は、概ね上記第１バルブの軸線を中心とする半円形状に形成されている請求項１乃至３の何れか１項に記載のシャワー装置。
【請求項５】
上記第１バルブ及び上記第２バルブは、押圧操作により吐水状態と止水状態が切り替えられるプッシュ式の水栓である請求項１乃至４の何れか１項に記載のシャワー装置。
【請求項６】
上記ボディーシャワーヘッドの散水板は、上記湯水供給通路及び上記ボディーシャワーヘッドの通水部を貫通して延びる散水板固定用部品により、上記シャワー装置の背面側から固定されている請求項２乃至５の何れか１項に記載のシャワー装置。
【発明の詳細な説明】
【技術分野】
【０００１】
本発明は、シャワー装置に関し、特に、壁面に概ね鉛直方向に延びるように設置され、供給された湯水を複数のシャワーヘッドから吐出させるシャワー装置に関する。
【背景技術】
【０００２】
特開２００３−２９９５８９号公報には、シャワー装置が記載されている。このシャワー装置は、鉛直方向に延びるシャワーバーを有し、このシャワーバー上に、上から順に、ヘッドシャワーノズル、シャワー切替ハンドル、ボディーシャワーノズル、ボディーシャワー用流量調整ハンドル、シャワーノズル用流量調整ハンドルが夫々配置されている。このシャワー装置は、スリムな本体に複数のシャワーノズルが集約配置され、意匠的にも優れたものとなっている。
【０００３】
【特許文献１】特開２００３−２９９５８９号公報
【発明の開示】
【発明が解決しようとする課題】
【０００４】
しかしながら、特開２００３−２９９５８９号公報に記載されたシャワー装置では、各シャワーの複数の操作部が離れた位置に分散して配置されているため、操作し難い場合があるほか、操作部と吐水が行われるシャワーノズルの関係が直感的に理解しにくいという問題がある。
【０００５】
そこで、操作部を集約的に配置すると共に、操作部の位置と吐水されるシャワーヘッドの位置との関係を直感的に理解しやすいものとすることが求められている。しかしながら、供給された湯水は、各操作部の近傍に夫々配置されたバルブを通ってシャワーヘッドから吐出されるため、操作部の位置と湯水を吐出させる位置との関係を任意に設定することは困難である。特に、操作部を集約的に配置すると、シャワー装置本体内部の通水路の形状が複雑になり、スリムで優れた外観を有するシャワーバーを構成することが困難になるという問題がある。
【０００６】
従って、本発明は、操作部の集約的配置を可能にしながら、本体をコンパクトに構成することができるシャワー装置を提供することを目的としている。
【課題を解決するための手段】
【０００７】
上述した課題を解決するために、本発明は、壁面に概ね鉛直方向に延びるように設置され、供給された湯水を複数のシャワーヘッドから吐出させるシャワー装置であって、縦長に形成されたシャワー装置本体と、このシャワー装置本体内に配置され、シャワー装置の下部から供給された湯水を上方に向けて導く湯水供給通路と、この湯水供給通路の途中に配置され、湯水供給通路から流入した湯水を湯水供給通路の背面側に通過させ、又は停止させる第１バルブと、湯水供給通路の、第１バルブの鉛直上方に配置され、湯水供給通路から流入した湯水を湯水供給通路の背面側に通過させ、又は停止させる第２バルブと、第１バルブを通過した湯水を吐出させるように、第１バルブよりも下方に配置された第１シャワーヘッドと、第２バルブを通過した湯水を吐出させるように、シャワーホース接続部から延びるシャワーホースに接続されたハンドシャワー用のハンドシャワーヘッドと、基端が第１バルブの流出口に連通され、シャワー装置本体内の湯水供給通路の背面側を、第１シャワーヘッドまで延びる第１通水路と、基端が第２バルブの流出口に連通され、シャワー装置本体内の湯水供給通路の背面側を、第１バルブを迂回して、第１バルブよりも下方に位置決めされたシャワーホース接続部まで延びる第２通水路と、を有することを特徴としている。
【０００８】
このように構成された本発明においては、シャワー装置の下部から供給された湯水は、湯水供給通路によって上方に向けて導かれる。この湯水供給通路によって導かれた湯水は、湯水供給通路の途中に配置された第１バルブによって吐水・止水が切り替えられる。第１バルブが吐水状態にされると、湯水は、第１バルブから下方に延びる第１通水路を通って第１シャワーヘッドに供給される。一方、湯水供給通路によって導かれた湯水は、湯水供給通路の、第１バルブの鉛直上方に配置された第２バルブによって吐水・止水が切り替えられる。第２バルブが吐水状態にされると、湯水は、シャワー装置本体内の湯水供給通路の背面側に配置され、第２バルブから、第１バルブを迂回して下方に延び、第１バルブよりも下方に位置決めされたシャワーホース接続部に至る第２通水路を通ってハンドシャワーヘッドに供給される。
【０００９】
このように構成された本発明によれば、第２通水路が、第１バルブの鉛直上方の第２バルブから、第１バルブを迂回して下方に延び、第１バルブよりも下方に位置決めされたシャワーホース接続部に連通しているので、操作部の集約的配置を可能にしながら、シャワーホース接続部を第１バルブ等の側面に設ける必要がなくシャワー装置本体をコンパクトに構成することができる。また、このように構成された本発明によれば、シャワーホース接続部が第１バルブよりも下方に配置されているので、操作性の良いハンドシャワーと、視認性の良い位置への操作部の配置と、を両立させることができる。
【００１０】
本発明において、好ましくは、第１シャワーヘッドが、シャワー装置本体前面のボディーシャワー用のボディーシャワーヘッドであり、さらに、第１通水路が、湯水供給通路の側面を越えて前面側に延び、ボディーシャワーヘッドに湯水を導く側面迂回通水部を有する。
【００１１】
このように構成された本発明においては、第１バルブを通過した湯水は、湯水供給通路の背面側から、その側面を越えて前面側に延びる側面迂回通水部を通って、シャワー装置本体前面のボディーシャワー用のボディーシャワーヘッドに供給される。
【００１２】
このように構成された本発明によれば、湯水供給通路の背面側から延びる第１通水路が湯水供給通路の側面を越えて前面側に延びる側面迂回通水部を有するので、シャワー装置本体の大型化を回避しながら、シャワー装置本体前面に配置されたボディーシャワー用のボディーシャワーヘッドに湯水を供給することができる。
【００１３】
本発明において、好ましくは、第１バルブを迂回して延びる第２通水路の一部分である第２通水路迂回部と、側面迂回通水部は、夫々、第１バルブの両側に位置決めされている。
【００１４】
このように構成された本発明によれば、第１通水路の側面迂回通水部と、第２通水路の第２通水路迂回部が、夫々、第１バルブの両側に位置決めされているので、第１及び第２通水路が両方とも第１バルブを迂回しながら、シャワー装置本体の大型化を回避することができる。
【００１５】
本発明において、好ましくは、第１バルブを迂回して延びる第２通水路の一部分である第２通水路迂回部は、概ね第１バルブの軸線を中心とする半円形状に形成されている。
【００１６】
このように構成された本発明によれば、第１バルブの上方から第１バルブを迂回して延びる第２通水路の第２通水路迂回部が、概ね第１バルブの軸線を中心とする半円形状に形成されているので、第１バルブを迂回する第２通水路を、非常にコンパクトに構成することができる。
【００１７】
本発明において、好ましくは、第１バルブ及び第２バルブは、押圧操作により吐水状態と止水状態が切り替えられるプッシュ式の水栓である。
このように構成された本発明によれば、使用者による視認性の良い位置に操作部を配置することを可能にしながら、押圧操作により吐水状態と止水状態を切り替えることができるので、操作性を更に向上させることができる。
【００１８】
本発明において、好ましくは、ボディーシャワーヘッドの散水板は、湯水供給通路及びボディーシャワーヘッドの通水部を貫通して延びる散水板固定用部品により、シャワー装置の背面側から固定されている。
【００１９】
このように構成された本発明によれば、ボディーシャワーヘッドの散水板が、散水板固定用部品によってシャワー装置の背面側から固定されているので、表面にねじの頭等を露出させることなく散水板を固定することができ、シャワー装置の美観を向上させることができる。
【発明の効果】
【００２０】
本発明のシャワー装置によれば、操作部の集約的配置を可能にしながら、本体をコンパクトに構成することができる。
【発明を実施するための最良の形態】
【００２１】
次に、添付図面を参照して、本発明の実施形態によるシャワー装置を説明する。
図１は本発明の実施形態によるシャワー装置全体を示す斜視図であり、図２はその側面断面図である。また、図３は、本実施形態によるシャワー装置の分解斜視図である。
【００２２】
図１に示すように、本発明の実施形態によるシャワー装置１は、シャワー装置本体２と、第１シャワーヘッドであるボディーシャワー用のボディーシャワーヘッド４と、第２シャワーヘッドであるハンドシャワー用のハンドシャワーヘッド６と、オーバーヘッドシャワー用のオーバーシャワーヘッド８と、を有する。
【００２３】
シャワー装置本体２は、縦長の棒状に形成されており、鉛直方向に延びるように壁面に設置される。また、シャワー装置本体２の前面には、下から順に、ボディーシャワー吐水用の操作部であるボディーシャワーボタン１０ａと、ハンドシャワー吐水用の操作部であるハンドシャワーボタン１０ｂと、オーバーヘッドシャワー吐水用の操作部であるオーバーヘッドシャワーボタン１０ｃが配置されている。これらのボタンは、概ね使用者の顔よりもやや下方の高さに位置決めされており、視認性の良いものとなっている。また、各ボタンの表面には、各ボタンの機能を図形的に示したインデックスが表示されている。
【００２４】
さらに、シャワー装置本体２は、その下端部に配置された第１脚部１２と、その中央よりもやや上側に配置された第２脚部１４と、を有し、これらの脚部で壁面に固定されている。また、シャワー装置本体２の下端には、吐水温度を調整するための温度調整用ツマミ１６が設けられている。
【００２５】
ボディーシャワー用のボディーシャワーヘッド４は、シャワー装置本体２前面の中央よりもやや下側のシャワー装置本体２に組み込まれている。ボディーシャワー用のボディーシャワーヘッド４は、鉛直方向に並べられた３つの散水板４ａを備え、その各々に多数の散水孔４ｂが設けられている。
【００２６】
ハンドシャワー用のハンドシャワーヘッド６は、シャワー装置本体２の第２脚部１４の側面に取り付けられたハンドシャワーレスト６ａに掛けられており、シャワー装置本体２の背面から延びるシャワーホース６ｂに連結されている。このシャワーホース６ｂの基端は、概ね使用者の胸の高さに相当する、ボディーシャワーボタン１０ａとボディーシャワーヘッド４の中間の高さに位置決めされ、ハンドシャワーの使用感を向上させている。
【００２７】
オーバーヘッドシャワー用のオーバーシャワーヘッド８は薄い正方形状に形成されており、シャワー装置本体２の上端から前方に突出したアーム８ａの先端に取り付けられている。オーバーヘッドシャワー使用時には、オーバーシャワーヘッド８の下面に設けられた多数の散水孔から鉛直下方にシャワー吐水される。
【００２８】
本実施形態によるシャワー装置１は、ボディーシャワーボタン１０ａを押圧操作することによりボディーシャワーヘッド４から吐水され、ハンドシャワーボタン１０ｂを押圧操作することによりハンドシャワーヘッド６から吐水され、オーバーヘッドシャワーボタン１０ｃを押圧操作することによりオーバーシャワーヘッド８から吐水されるように構成されている。即ち、各ボタンの背面にはプッシュ式の水栓が配置されており、ボタンを押圧操作することにより吐水、止水が切り替えられる。また、各シャワーヘッドから吐水される湯水の温度は、温度調整用ツマミ１６により調整できるようになっている。なお、本実施形態によるシャワー装置１は、任意の複数のボタンを操作することにより、複数のシャワーヘッドから同時に吐水ができるように構成されている。
【００２９】
図２及び図３に示すように、シャワー装置本体２は、下から順に、第１本体部材１８ａ、第２本体部材１８ｂ、第３本体部材１８ｃ、及び第４本体部材１８ｄの４つに分割して構成されている。なお、本実施形態においては、第１乃至第３本体部材は黄銅製の鋳物で形成され、第４本体部材は黄銅板で形成されている。
【００３０】
第１本体部材１８ａは、シャワー装置本体２の下端部に配置され、第１脚部１２を形成する。また、第１本体部材１８ａは、シャワー装置１を設置する壁面から突出するように取り付けられた給水用アダプタ２０ａ、及び給湯用アダプタ２０ｂの先端部を受け入れ、これらに接続されるように構成されている。さらに、第１本体部材１８ａの下端部には、温調用サーモ水栓２２が内蔵されており、温度調整用ツマミ１６により、温調用サーモ水栓２２から鉛直下方に延びる温度調整用スピンドルを回動させることができるようになっている。また、第１本体部材１８ａには、給水用アダプタ２０ａ及び給湯用アダプタ２０ｂから流入した水及び湯を、夫々温調用サーモ水栓２２に導くように通水路が形成されている。温調用サーモ水栓２２では供給された水及び湯が混合され、適温に混合された湯水が、第１本体部材１８ａ内に形成された第１湯水管路２４の中を鉛直上方に上昇するように構成されている。また、第１湯水管路２４の途中には、流量調整用バルブ２４ａが配置されている。
【００３１】
第２本体部材１８ｂには、第１湯水管路２４に連通する湯水供給通路である第２湯水管路２６と、第２湯水管路２６の前面側に配置されたボディーシャワーヘッド４の通水部４ｃが形成されている。また、第２本体部材１８ｂは、第１本体部材１８ａの上端に接続されており、第１湯水管路２４から流入した湯水を第２湯水管路２６によって鉛直上方に導くように構成されている。さらに、ボディーシャワーヘッド４の通水部４ｃは、第３本体部材１８ｃから流入した湯水を受け入れ、各散水板４ａに導くように構成されている。
【００３２】
第３本体部材１８ｃは、第２脚部１４を構成すると共に、その内部には、第２湯水管路２６に接続された湯水供給通路である第３湯水管路２８が形成されている。この第３湯水管路２８上には、第１バルブであるボディーシャワー用プッシュ水栓３０ａと、第２バルブであるハンドシャワー用プッシュ水栓３０ｂと、オーバーヘッドシャワー用プッシュ水栓３０ｃが配置されている。さらに、第３本体部材１８ｃには、ボディーシャワー用プッシュ水栓３０ａを通過した湯水をボディーシャワーヘッド４に導く第１通水路であるボディーシャワー誘導管路３６と、ハンドシャワー用プッシュ水栓３０ｂを通過した湯水をハンドシャワーヘッド６に導く第２通水路であるハンドシャワー誘導管路３８と、オーバーヘッドシャワー用プッシュ水栓３０ｃを通過した湯水をオーバーシャワーヘッド８に導くオーバーヘッドシャワー誘導管路４０（以上、図２には図示せず）と、を有する。第３本体部材１８ｃの詳細な構成は後述する。
【００３３】
第４本体部材１８ｄは、第３本体部材１８ｃの上端に接続されており、その内部には第４湯水管路３４が形成されている。第４本体部材１８ｄの上端部にはオーバーシャワーヘッド８のアーム８ａが取り付けられている。第４湯水管路３４は、第３本体部材１８ｃのオーバーヘッドシャワー誘導管路４０から流入した湯水を、アーム８ａ内の通水路に導くように構成されている。
【００３４】
次に、図４及び図５を参照して、シャワー装置１下部の第１本体部材１８ａの部分の構成を説明する。図４はシャワー装置１下部の断面図であり、図５は、図４のV−V線に沿う断面図である。
【００３５】
図４に示すように、第１本体部材１８ａは、壁面Ｗ内に埋め込まれた給水用配管４２ａ、給湯用配管４２ｂに夫々接続された給水用アダプタ２０ａ及び給湯用アダプタ２０ｂの先端を受け入れるように構成されている。また、給水用アダプタ２０ａ及び給湯用アダプタ２０ｂの先端には、夫々２本のＯリングが配置されており、各アダプタと第１本体部材１８ａとの間の水密性を確保している。また、給水用アダプタ２０ａの、給水用配管４２ａに接続される管の中心軸線と、第１本体部材１８ａに接続される管の中心軸線は約５ｍｍ偏心されている。同様に、給湯用アダプタ２０ｂの各管の軸線も約５ｍｍ偏心されている。この構成により、壁面Ｗに埋め込まれた給水用配管４２ａ及び給湯用配管４２ｂの位置決め誤差を吸収することができる。即ち、給水用アダプタ２０ａ及び給湯用アダプタ２０ｂの、給水用配管４２ａ及び給湯用配管４２ｂに対する回転位置を変えることにより、各アダプタの管先端の間隔、及び整列を適宜調整することができる。また、給水用アダプタ２０ａ及び給湯用アダプタ２０ｂの先端を第１本体部材１８ａに挿入する挿入距離により、各アダプタの壁面からの突出量の誤差が吸収される。
【００３６】
また、第１本体部材１８ａには、給水用アダプタ２０ａ及び給湯用アダプタ２０ｂから流入した水及び湯を、夫々第１本体部材１８ａ内のサーモ水栓受入部１８ｅに導くように通水路が形成されている。サーモ水栓受入部１８ｅに流入した水及び湯は、夫々温調用サーモ水栓２２の中に流入し、ここで混合され、適温の湯水に調整される。
【００３７】
温調用サーモ水栓２２は、主弁体２２ａと、この主弁体２２ａの両側に夫々配置された形状記憶合金ばね２２ｂ、及びバイアスばね２２ｃを有する。温調用サーモ水栓２２は、主弁体２２ａを、形状記憶合金ばね２２ｂ及びバイアスばね２２ｃの付勢力が釣り合う位置に移動させ、これにより、水及び湯の流入量を変化させて湯水の温度を調整している。即ち、流出される湯水の温度が設定温度よりも上昇したときは、形状記憶合金ばね２２ｂが延びて主弁体２２ａを移動させ、湯の流入量を減らし、水の流入量を増加させる。逆に、流出される湯水の温度が設定温度よりも低下したときは、形状記憶合金ばね２２ｂが収縮して主弁体２２ａを逆方向に移動させ、湯の流入量を増加させ、水の流入量を減少させる。これにより、流出される湯水の温度は設定温度に維持される。また、流出される湯水の設定温度は、温度調整用ツマミ１６を操作して、温調用サーモ水栓２２下端の調整用スピンドル２２ｄを回転させることにより変更することができる。
【００３８】
温調用サーモ水栓２２において混合された湯水は、サーモ水栓受入部１８ｅに連通した第１湯水管路２４に流入し、第１本体部材１８ａの内部を上昇するように構成されている。この第１湯水管路２４の途中には、流量調整用バルブ２４ａが配置されている。
【００３９】
図５に示すように、流量調整用バルブ２４ａは、側面に通水孔が形成されたシリンダ部材２４ｂと、このシリンダ部材２４ｂを回動させるためのツマミ２４ｃと、を有する。シリンダ部材２４ｂのシリンダの側面には、対向する２つの通水孔が形成されている。また、シリンダ部材２４ｂは、第１湯水管路２４内で回動可能に配置されている。流量調整用バルブ２４ａは、シリンダ部材２４ｂの通水孔と第１湯水管路２４が整合する位置で流量最大となり、ツマミ２４ｃを操作することにより流量を減少させることができるように構成されている。
【００４０】
次に、図６を参照して、第１本体部材１８ａの上部に連結された第２本体部材１８ｂの部分の構成を説明する。図６は第２本体部材１８ｂの断面図である。
図６に示すように、第２本体部材１８ｂの内部には、その背面側に配置された第２湯水管路２６と、その前面側に配置されたボディーシャワーヘッド４の通水部４ｃが形成されている。第２湯水管路２６の下端は、第１本体部材１８ａの第１湯水管路２４に連結され、第２湯水管路２６の上端は、第３本体部材１８ｃの第３湯水管路２８に連結されている。これにより、第１湯水管路２４から流入した湯水は、第２湯水管路２６を通って上昇し、第３湯水管路２８に流入するように構成されている。
【００４１】
また、ボディーシャワーヘッド４の通水部４ｃは、第３本体部材１８ｃのボディーシャワー誘導管路３６に接続されている。ボディーシャワー誘導管路３６から流入した湯水は、通水部４ｃ内を下降しながら、各散水板４ａの散水口４ｂから吐水される。
【００４２】
また、ボディーシャワーヘッド４の各散水板４ａは、第２湯水管路２６及び通水部４ｃを貫通して延びる散水板固定用部品である固定ねじ４４で夫々固定されている。各固定ねじ４４の先端部には、雄ねじ４４ａが形成され、この雄ねじ４４ａは、散水板４ａの裏面に形成された雌ねじに螺合される。これにより、散水板４ａは第２本体部材１８ｂ前面の壁に引きつけられ、散水板４ａは背面側から第２本体部材１８ｂに固定される。この構造により、散水板４ａの正面には取り付け用のねじが露出せず、シャワー装置１の外観を優れたものにしている。また、固定ねじ４４の中間部には、Ｏリング４４ｂが配置されており、このＯリング４４ｂにより、第２湯水管路２６及び通水部４ｃの水密性を確保している。さらに、固定ねじ４４の基端部には、Ｏリング４４ｃが配置されており、このＯリング４４ｃにより、第２湯水管路２６の水密性を確保している。
【００４３】
次に、図７乃至図９を参照して、第２本体部材１８ｂの上部に連結された第３本体部材１８ｃの部分の構成を説明する。図７は第３本体部材１８ｃの下部を拡大して示す断面図である。図８は第３本体部材１８ｃ全体を示す側面図であり、図９は第３本体部材１８ｃ全体を示す背面図である。
【００４４】
図７及び図８に示すように、第３本体部材１８ｃの前面側には、ボディーシャワー用プッシュ水栓３０ａ、ハンドシャワー用プッシュ水栓３０ｂ、及びオーバーヘッドシャワー用プッシュ水栓３０ｃを夫々収容するための３つの水栓収容凹部１８ｆが形成されている。各水栓収容凹部１８ｆには、夫々プッシュ水栓が収容され、これらのプッシュ水栓を挿入した状態で、円筒状のバルブ押さえ３１を水栓収容凹部１８ｆの内壁面に形成された雌ねじに螺合させることにより、各プッシュ水栓を固定している。また、第３本体部材１８ｃ内に形成された第３湯水管路２８は、第３本体部材１８ｃの下端から、これら３つの水栓収容凹部１８ｆを連通させるように上方に向かって延び、最も上方に位置するオーバーヘッドシャワー用プッシュ水栓３０ｃを収容する水栓収容凹部１８ｆまで延びている。なお、第３湯水管路２８は、各プッシュ水栓の開閉に関わらず、下端から、最も上側の水栓収容凹部１８ｆまで常時連通するように構成されている。
【００４５】
次に、図７を参照して、ボディーシャワー用プッシュ水栓３０ａの構成を説明する。
ボディーシャワー用プッシュ水栓３０ａは、主弁体３２ａと、この主弁体３２ａの圧力開放穴を開閉するパイロット弁３２ｂと、このパイロット弁３２ｂを移動させ、圧力開放穴を開閉するための操作部３２ｃと、を有する。操作部３２ｃは、一回押圧操作する毎にパイロット弁３２ｂを圧力開放穴の閉鎖位置又は開放位置に交互に移動させるラッチ機構として構成されている。
【００４６】
第３湯水管路２８から水栓収容凹部１８ｆに流入した湯水は、水栓入口３２ｄから、主弁体３２ａに設けられた小穴３２ｅを通って、圧力室３２ｆ内に流入する。主弁体３２ａの圧力開放穴がパイロット弁３２ｂによって閉鎖されている場合には、小穴３２ｅから流入した湯水の圧力により圧力室３２ｆ内の圧力が上昇する。圧力室３２ｆ内の圧力が上昇すると、この圧力により主弁体３２ａが第３本体部材１８ｃの背面側（図７における右側）に向かって押圧され、主弁体３２ａが弁座３２ｇに着座して止水状態となる。
【００４７】
次いで、操作部３２ｃを操作することにより、パイロット弁３２ｂが第３本体部材１８ｃの前面側（図７における左側）に向かって移動されると、主弁体３２ａの圧力開放穴が開放されて圧力室３２ｆ内の圧力が低下する。圧力室３２ｆ内の圧力が低下すると、主弁体３２ａは第３本体部材１８ｃの前面側に向かって移動され、主弁体３２ａが弁座３２ｇから離れて吐水状態となる。吐水状態となると、水栓入口３２ｄから流入した湯水は、圧力室３２ｆ内を通らずに、流出口である水栓出口３２ｈに直接流出する。即ち、ボディーシャワー用プッシュ水栓３０ａの下部側面（図７における右側）の水栓入口３２ｄから流入した湯水は、主弁体３２ａと弁座３２ｇの間の隙間を通り、水栓出口３２ｈからプッシュ水栓３０ａの下方（第３本体部材１８ｃの背面側）に向かって流出する。
【００４８】
また、ボディーシャワーボタン１０ａは、ボディーシャワー用プッシュ水栓３０ａの操作部３２ｃ前面を覆うように配置され、ヒンジ部１０ｄを中心に回動可能に取り付けられている。ボディーシャワーボタン１０ａを押圧操作することにより、その裏側に位置する操作部３２ｃが押圧され、ボディーシャワー用プッシュ水栓３０ａが止水状態又は吐水状態に交互に切り替えられる。
【００４９】
さらに、ボディーシャワーボタン１０ａの下方には、オイルダンパー４６が配置されている。また、ボディーシャワーボタン１０ａの下部には、係合歯４６ａが取り付けられており、係合歯４６ａはオイルダンパー４６と係合される。オイルダンパー４６は、ボディーシャワーボタン１０ａの動きに粘性抵抗を与えるように構成されており、これにより、ボディーシャワーボタン１０ａの動きが適度に減速され、ボタンの操作感が向上される。
【００５０】
以上、ボディーシャワー用プッシュ水栓３０ａの構成を説明したが、ハンドシャワー用プッシュ水栓３０ｂ、オーバーヘッドシャワー用プッシュ水栓３０ｃ及びこれらに関連した部分も同様に構成されている。
【００５１】
次に、図７乃至図９を参照して、第３本体部材１８ｃ内に形成されている通水路の構成を説明する。
図８に示すように、第３湯水管路２８は、第３本体部材１８ｃの前面側中央に、下方から上方に向けて延びるように形成されている。また、第３湯水管路２８には３つの水栓収容凹部１８ｆが等間隔に形成されており、そのうちの１つは第３湯水管路２８の上端に、残りの２つはその途中に形成されている。また、各水栓収容凹部１８ｆは、そこに収容される各プッシュ水栓の中心軸線が、第３湯水管路２８の中心線を通るように形成されている。さらに、第３湯水管路２８の水栓収容凹部１８ｆが形成された部分は、第３本体部材１８ｃの背面側に向かって湾曲されている。
【００５２】
また、図９に示すように、ボディーシャワー誘導管路３６は、第３本体部材１８ｃの最下段の水栓収容凹部１８ｆから、第３本体部材１８ｃの前面側下端部まで延びるように構成されている。即ち、ボディーシャワー誘導管路３６は、基端がボディーシャワー用プッシュ水栓３０ａの背面側の水栓出口３２ｈに連通され、この基端から、第３本体部材１８ｃの側部に向かって斜め下方に延びる（図９）。次いで、ボディーシャワー誘導管路３６は、第３本体部材１８ｃの中央に位置する第３湯水管路２８の側面を越えて第３本体部材１８ｃの前面側に延びる側面迂回通水部３６ａを介して第３本体部材１８ｃの前面側下端部まで延びている（図７）。
【００５３】
また、図８及び図９に示すように、ハンドシャワー誘導管路３８は、基端がハンドシャワー用プッシュ水栓３０ｂの背面側の水栓出口３２ｈに連通され、ハンドシャワーヘッド６に湯水を誘導するように形成されている。ハンドシャワー誘導管路３８は、まず、第３本体部材１８ｃの中段の水栓収容凹部１８ｆから、第３湯水管路２８の背面に沿って、第３本体部材１８ｃの中央を、即ち、第３湯水管路２８の真後ろを下方に向かって延びる。次いで、ハンドシャワー誘導管路３８は、ボディーシャワー誘導管路３６の基端部を迂回する第２通水路迂回部であるボディーシャワー迂回部３８ａを介してさらに下方に延びる。このボディーシャワー迂回部３８ａは、ボディーシャワー用プッシュ水栓３０ａの軸線を中心とする半円形状に形成されている（図９）。さらに、ハンドシャワー誘導管路３８は、第３本体部材１８ｃ中央の背面側下部に配置された第２通水路の出口であるシャワーホース接続部３８ｂまで延びている。また、本実施形態においては、ボディーシャワー迂回部３８ａは、ボディーシャワー用プッシュ水栓３０ａを、側面迂回通水部３６ａの反対側に迂回するように延びている（図９）。即ち、側面迂回通水部３６ａとボディーシャワー迂回部３８ａは、ボディーシャワー用プッシュ水栓３０ａの両側に位置決めされている。
【００５４】
さらに、図８に示すように、オーバーヘッドシャワー誘導管路４０は、まず、第３本体部材１８ｃの最上段の水栓収容凹部１８ｆから、第３湯水管路２８の背面側を上方に延びた後、第３本体部材１８ｃの前面に向かって前方斜め上方に延びる。次いで、オーバーヘッドシャワー誘導管路４０は、第３本体部材１８ｃの前面に沿って鉛直上方に延びる。オーバーヘッドシャワー誘導管路４０の上端部は、第４本体部材１８ｄの第４湯水管路３４に接続されている（図２）。
【００５５】
次に、図１０及び図１１を参照して、本発明の実施形態によるシャワー装置１の壁面への取り付け手順を説明する。図１０は、給水用アダプタ２０ａ及び給湯用アダプタ２０ｂの位置調整を説明する斜視図である。図１１は、第１脚部１２、及び第２脚部１４のカバーの取り付けを示す斜視図である。
【００５６】
図１０に示すように、まず、給水用アダプタ２０ａ及び給湯用アダプタ２０ｂを、シャワー装置１を設置すべき壁面Ｗに埋め込まれた給水用配管４２ａ及び給湯用配管４２ｂに取り付ける。次に、取付用治具４８から突出した２つの円柱部４８ａを、給水用アダプタ２０ａ及び給湯用アダプタ２０ｂの先端の管内に挿入する。取付用治具４８は、細長い平板部４８ｂから２本の円柱部４８ａが突出するように構成されている。２本の円柱部４８ａは、給水用アダプタ２０ａ及び給湯用アダプタ２０ｂの先端に隙間なく挿入される太さに形成されている。また、２本の円柱部４８ａの間隔は、第１本体部材１８ａの各アダプタを受け入れる部分のピッチと同一に構成されている。従って、２本の円柱部４８ａが給水用アダプタ２０ａ及び給湯用アダプタ２０ｂに同時に挿入されるように、各アダプタの回転位置を調整することにより、各アダプタの先端部の間隔を所定の間隔に調整することができる。さらに、取付用治具４８の平板部４８ｂが鉛直方向に向けられるように、給水用アダプタ２０ａ及び給湯用アダプタ２０ｂの回転位置を調整することにより、各アダプタの先端の間隔が所定間隔になると共に、各アダプタの先端が鉛直方向に整合する。
【００５７】
次に、シャワー装置受け金具５０ａ、５０ｂ（図３）を、タッピングビスにより壁面Ｗの所定の位置に固定する。さらに、シャワー装置本体２を、壁面Ｗから突出する給水用アダプタ２０ａ及び給湯用アダプタ２０ｂが、第１本体部材１８ａの所定の位置に挿入されるように配置する。これにより、シャワー装置本体２の第１脚部１２及び第２脚部１４が、シャワー装置受け金具５０ａ、５０ｂの上端面に当接する（図２）。
【００５８】
さらに、図４に示すように、第１本体部材１８ａの、給水用アダプタ２０ａ及び給湯用アダプタ２０ｂの挿入部に夫々取り付けられた袋ナット５２を、各アダプタの中間部に形成された雄ねじ２０ｃに螺合させる。これにより、第１本体部材１８ａは、壁面Ｗに引きつけられる。さらに、第１本体部材１８ａが壁面Ｗに引きつけられ、第１脚部１２の端部が壁面Ｗに当接するまで、袋ナット５２を締め付ける。この状態で、ビス５０ｃ（図３）により、第１脚部１２及び第２脚部１４を、シャワー装置受け金具５０ａ、５０ｂの上端面にねじ止めする（図１１）。最後に、４枚の脚部カバー５４ａ、５４ｂを、第１脚部１２及び第２脚部１４の側面に夫々ねじ止めし、第１本体部材１８ａ及び第３本体部材１８ｃの側面をカバーする。
【００５９】
次に、本発明の実施形態によるシャワー装置１の作用を説明する。
まず、止水状態において、ボディーシャワーボタン１０ａを一回押圧操作すると、ボディーシャワー用プッシュ水栓３０ａの操作部３２ｃが、パイロット弁３２ｂを主弁体３２ａから引き離す（図７）。これにより、圧力室３２ｆ内の圧力が低下して、主弁体３２ａが弁座３２ｇから離れ、吐水状態となる。ボディーシャワー用プッシュ水栓３０ａが吐水状態になると、給水用配管４２ａ及び給湯用配管４２ｂから水及び湯が、夫々第１本体部材１８ａ内に流入する。第１本体部材１８ａ内に流入した水及び湯は、温調用サーモ水栓２２内で適温に混合され、第１湯水管路２４に流入する。第１湯水管路２４に流入した湯水は、流量調整用バルブ２４ａを介して第２本体部材１８ｂの第２湯水管路２６内を上昇する。
【００６０】
第２湯水管路２６から流出した湯水は、第３本体部材１８ｃの第３湯水管路２８内に流入する。第３湯水管路２８に流入した湯水は、第３本体部材１８ｃの最下段の水栓収容凹部１８ｆ内に流入し、ここに配置された開放状態にあるボディーシャワー用プッシュ水栓３０ａを通過する（図７）。ボディーシャワー用プッシュ水栓３０ａを通過した湯水は、ボディーシャワー誘導管路３６に流入し、側面迂回通水部３６ａを経て、第３本体部材１８ｃ下端のボディーシャワー誘導管路３６の下流端に到達する。なお、他の２つのプッシュ水栓が止水状態にある場合には、それらの下流側のハンドシャワー誘導管路３８、及びオーバーヘッドシャワー誘導管路４０内には、湯水は流入しない。
【００６１】
ボディーシャワー誘導管路３６から流出した湯水は、第２本体部材１８ｂに組み込まれたボディーシャワーヘッド４の通水部４ｃに流入する（図６）。通水部４ｃに流入した湯水は、各散水板４ａの散水口４ｂからボディーシャワーとして吐出される。また、シャワー装置本体２の下部側面に設けられた流量調整用ツマミ２４ｃ（図５）を回動操作することにより、シャワーの使用者はボディーシャワーヘッド４から吐出する湯水の流量を調整することができる。また、シャワー装置本体２下端部の温度調整用ツマミ１６（図２）を回動操作することにより、使用者はボディーシャワーヘッド４から吐出する湯水の温度を調整することができる。さらに、ボディーシャワーボタン１０ａをもう一回押圧操作することにより、ボディーシャワー用プッシュ水栓３０ａは止水状態に切り替えられ、ボディーシャワーヘッド４からの吐水が停止される。
【００６２】
同様に、ハンドシャワーボタン１０ｂが一回押圧操作された場合には、ハンドシャワー用プッシュ水栓３０ｂが吐水状態となる。これにより、給水用配管４２ａ及び給湯用配管４２ｂから流入した湯及び水は混合され、第３湯水管路２８に流入する。第３湯水管路２８に流入した湯水は、第３本体部材１８ｃの最下段の水栓収容凹部１８ｆを通過し、中段の水栓収容凹部１８ｆに流入する（図７）。この水栓収容凹部１８ｆに流入した湯水は、ハンドシャワー用プッシュ水栓３０ｂを通過して、ハンドシャワー誘導管路３８に流入する。ハンドシャワー誘導管路３８に流入した湯水は、ハンドシャワー誘導管路３８のボディーシャワー迂回部３８ａを経て下方に流れ、シャワーホース接続部３８ｂに到達する。シャワーホース接続部３８ｂに達した湯水は、シャワーホース６ｂを通過して、ハンドシャワーヘッド６から吐水される。さらに、ハンドシャワーボタン１０ｂをもう一回押圧操作すると、ハンドシャワーヘッド６からの吐水が停止される。
【００６３】
さらに、オーバーヘッドシャワーボタン１０ｃが一回押圧操作された場合には、オーバーヘッドシャワー用プッシュ水栓３０ｃが吐水状態となる。これにより、給水用配管４２ａ及び給湯用配管４２ｂから湯及び水が流入して混合され、第３湯水管路２８に流入する。第３湯水管路２８に流入した湯水は、第３本体部材１８ｃの最下段及び中段の水栓収容凹部１８ｆを通過し、最上段の水栓収容凹部１８ｆに流入する（図８）。この水栓収容凹部１８ｆに流入した湯水は、オーバーヘッドシャワー用プッシュ水栓３０ｃを通過して、オーバーヘッドシャワー誘導管路４０に流入する。オーバーヘッドシャワー誘導管路４０に流入した湯水は上方に流れ、第４本体部材１８ｄの第４湯水管路３４に到達する。第４湯水管路３４に達した湯水は、アーム８ａを通過して、オーバーシャワーヘッド８から吐水される。さらに、オーバーヘッドシャワーボタン１０ｃをもう一回押圧操作すると、オーバーシャワーヘッド８からの吐水が停止される。
【００６４】
なお、上述した例では、各シャワーヘッドから別々に吐水させていたが、本実施形態によるシャワー装置１は、複数のボタンを操作して、複数のシャワーヘッドから同時に吐水させることもできる。
【００６５】
本発明の実施形態のシャワー装置によれば、ハンドシャワー誘導管路が、ボディーシャワー用プッシュ水栓の鉛直上方のハンドシャワー用プッシュ水栓から、ボディーシャワー用プッシュ水栓を迂回して下方に延びているので、操作用のボタンを集約的に配置しながら、シャワー装置本体をコンパクトに構成することができる。
【００６６】
特に、本実施形態のシャワー装置においては、第３本体部材を鋳物によって形成しているので、シャワー装置内の管路を複数の可撓性のあるホースを連結して構成した場合に比べ、シャワー装置全体をコンパクトに構成することができる。また、ホースを急激に湾曲させて配管することによるホースのつぶれや、破損を防止することができる。
【００６７】
また、本実施形態のシャワー装置によれば、第３湯水管路の背面側から延びるボディーシャワー誘導管路が第３湯水管路の側面を越えて前面側に延びる側面迂回通水部を有するので、シャワー装置本体の大型化を回避しながら、シャワー装置本体前面に配置されたボディーシャワー用のボディーシャワーヘッドに湯水を供給することができる。
【００６８】
さらに、本実施形態のシャワー装置によれば、ボディーシャワー誘導管路の側面迂回通水部と、ハンドシャワー誘導管路のボディーシャワー迂回部が、夫々、ボディーシャワー用プッシュ水栓の両側に位置決めされているので、ボディーシャワー誘導管路及びハンドシャワー誘導管路が両方ともボディーシャワー用プッシュ水栓を迂回しながら、シャワー装置本体の大型化を回避することができる。
【００６９】
また、本実施形態のシャワー装置によれば、シャワーホースの基端をボディーシャワー用プッシュ水栓よりも下方に配置することができるので、操作性の良いハンドシャワーと、視認性の良い位置へのボディーシャワー、ハンドシャワー、及びオーバーヘッドシャワーボタンの配置と、を両立させることができる。
【００７０】
また、本実施形態のシャワー装置によれば、シャワーホース接続部をボディーシャワー用プッシュ水栓よりも下方に配置しているので、ボディーシャワー用プッシュ水栓の側方にシャワーホース接続部を設ける必要がなく、シャワー装置本体をスリムに構成することができる。
【００７１】
さらに、本実施形態のシャワー装置によれば、ボディーシャワー用プッシュ水栓の上方からボディーシャワー用プッシュ水栓を迂回して延びるハンドシャワー誘導管路のボディーシャワー迂回部が、概ねボディーシャワー用プッシュ水栓の軸線を中心とする半円形状に形成されているので、ボディーシャワー用プッシュ水栓を迂回するハンドシャワー誘導管路を、非常にコンパクトに構成することができる。
【００７２】
また、本実施形態のシャワー装置によれば、使用者による視認性の良い位置にボディーシャワー、ハンドシャワー、及びオーバーヘッドシャワーボタンを配置することを可能にしながら、押圧操作により吐水状態と止水状態を切り替えることができるので、操作性を更に向上させることができる。
【００７３】
さらに、本実施形態のシャワー装置によれば、ボディーシャワーヘッドの散水板が、固定ねじによってシャワー装置の背面側から固定されているので、表面にねじの頭を露出させることなく散水板を固定することができ、シャワー装置の美観を向上させることができる。
【００７４】
以上、本発明の好ましい実施形態を説明したが、上述した実施形態に種々の変更を加えることができる。特に、上述した実施形態においては、シャワー装置に３つのシャワーヘッドが備えられていたが、本発明は、任意のシャワーヘッドが２つ以上備えられたシャワー装置に適用することができる。
【００７５】
また、上述した実施形態においては、各シャワーヘッドからの吐水、止水を、プッシュ式の水栓によって切り替えていたが、本発明のシャワー装置に他の任意の形式の水栓を使用することができる。或いは、本発明のシャワー装置に、流量調整機能を備えたプッシュ式の水栓を使用することもできる。
【図面の簡単な説明】
【００７６】
【図１】本発明の実施形態によるシャワー装置全体を示す斜視図である。
【図２】本発明の実施形態によるシャワー装置の側面断面図である。
【図３】本発明の実施形態によるシャワー装置の分解斜視図である。
【図４】本発明の実施形態によるシャワー装置下部の断面図である。
【図５】図４のV−V線に沿う断面図である。
【図６】第２本体部材の断面図である。
【図７】第３本体部材の下部を拡大して示す断面図である。
【図８】第３本体部材全体を示す側面図である。
【図９】第３本体部材全体を示す背面図である。
【図１０】給水用アダプタ及び給湯用アダプタの位置調整を説明する斜視図である。
【図１１】第１脚部及び第２脚部のカバーの取り付けを示す斜視図である。
【符号の説明】
【００７７】
Ｗ      壁面
１      本発明の実施形態によるシャワー装置
２      シャワー装置本体
４      ボディーシャワーヘッド（第１シャワーヘッド）
４ａ    散水板
４ｂ    散水口
４ｃ    通水部
６      ハンドシャワーヘッド（第２シャワーヘッド）
６ａ    ハンドシャワーレスト
６ｂ    シャワーホース
８      オーバーシャワーヘッド
８ａ    アーム
１０ａ  ボディーシャワーボタン
１０ｂ  ハンドシャワーボタン
１０ｃ  オーバーヘッドシャワーボタン
１０ｄ  ヒンジ部
１２    第１脚部
１４    第２脚部
１６    温度調整用ツマミ
１８ａ  第１本体部材
１８ｂ  第２本体部材
１８ｃ  第３本体部材
１８ｄ  第４本体部材
１８ｅ  サーモ水栓受入部
１８ｆ  水栓収容凹部
２０ａ  給水用アダプタ
２０ｂ  給湯用アダプタ
２０ｃ  雄ねじ
２２    温調用サーモ水栓
２２ａ  主弁体
２２ｂ  形状記憶合金ばね
２２ｃ  バイアスばね
２２ｄ  調整用スピンドル
２４    第１湯水管路
２４ａ  流量調整用バルブ
２４ｂ  シリンダ部材
２４ｃ  流量調整用ツマミ
２６    第２湯水管路（湯水供給通路）
２８    第３湯水管路（湯水供給通路）
３０ａ  ボディーシャワー用プッシュ水栓（第１バルブ）
３０ｂ  ハンドシャワー用プッシュ水栓（第２バルブ）
３０ｃ  オーバーヘッドシャワー用プッシュ水栓
３１    バルブ押さえ
３２ａ  主弁体
３２ｂ  パイロット弁
３２ｃ  操作部
３２ｄ  水栓入口
３２ｅ  小穴
３２ｆ  圧力室
３２ｇ  弁座
３２ｈ  水栓出口
３４    第４湯水管路
３６    ボディーシャワー誘導管路（第１通水路）
３６ａ  側面迂回通水部
３８    ハンドシャワー誘導管路（第２通水路）
３８ａ  ボディーシャワー迂回部（第２通水路迂回部）
３８ｂ  シャワーホース接続部（第２通水路の出口）
４０    オーバーヘッドシャワー誘導管路
４２ａ  給水用配管
４２ｂ  給湯用配管
４４    固定ねじ（散水板固定用部品）
４６    オイルダンパー
４８    取付用治具
４８ａ  円柱部
４８ｂ  平板部
５０ａ、５０ｂ  シャワー装置受け金具
５０ｃ  ビス
【図１】
2008220822.tif 000003
【図２】
2008220822.tif 000004
【図３】
2008220822.tif 000005
【図４】
2008220822.tif 000006
【図５】
2008220822.tif 000007
【図６】
2008220822.tif 000008
【図７】
2008220822.tif 000009
【図８】
2008220822.tif 000010
【図９】
2008220822.tif 000011
【図１０】
2008220822.tif 000012
【図１１】
2008220822.tif 000013